(57)【要約】  本発明は、双方向マルチユーザＴＶ方法およびシステムならびに前記方法を実行するＴＶ受信機に関する。本発明の方法は、ＴＶプログラム２３および少なくとも１つの関連する双方向プログラム２２をＴＶ受信機３にブロードキャストすること、一連の関連する双方向プログラムを、クライアント−サーバ構成に従って、前記テレビジョン受信機デバイス３から移動電話ネットワークに接続された端末４にダウンロードすることと、一連の前記双方向プログラムを、各々がローカル通信チャネル５を介してＴＶ受信機３とデータを交換する端末４によって実行することにある。前記発明は、同じＴＶ受信機によって、その近隣に位置する複数のユーザに提供される双方向サービスに関して特に適切である。
2009516450.tif 000002
【特許請求の範囲】
【請求項１】
ＴＶプログラム（２３）および少なくとも１つの関連する双方向プログラム（２２）がＴＶ受信デバイス（３）へブロードキャストされる双方向ＴＶ方法であって、
アプレット形式でプログラミングされた、関連付けされた双方向プログラムの一部が、クライアント−サーバアーキテクチャに従ってＴＶ受信デバイス（３）から移動電話ネットワークに接続された端末（４）にダウンロードされ、ＴＶ受信デバイス（３）がサーバ局を形成しており、端末（４）がクライアント局を形成しており、双方向プログラムの一部が端末（４）のオペレーティングシステムによって実行され、端末が通信チャネル（５）を介してＴＶ受信デバイス（３）とデータを交換することを特徴とする、方法。
【請求項２】
通信チャネル（５）がローカル無線通信チャネルであることを特徴とする、請求項１に記載の方法。
【請求項３】
端末（４）にダウンロードされる双方向プログラムが互いに無関係に実行されることを特徴とする、請求項１または２のいずれか一項に記載の方法。
【請求項４】
補完的双方向プログラムデータが端末（４）に、この端末（４）により設定される問い合わせに応じてダウンロードされることを特徴とする、請求項１から３のいずれか一項に記載の方法。
【請求項５】
補完的双方向プログラムデータが移動電話ネットワークを介して端末（４）にダウンロードされることを特徴とする、請求項１から４のいずれか一項に記載の方法。
【請求項６】
端末にダウンロードされる双方向プログラム（４）が移動電話サービスとの対話を実行することを特徴とする、請求項１から５のいずれか一項に記載の方法。
【請求項７】
双方向プログラム部分がアプレット形式でＪａｖａ（登録商標）言語でプログラミングされることを特徴とする、請求項１から６のいずれか一項に記載の方法。
【請求項８】
機能的ユニット（１）がＴＶ受信デバイス（３）内に配置され、この機能的ユニットが、
双方向ソフトウェアプログラム（２２）を記憶し、双方向プログラム部分を通信チャネル（５）を介して端末（４）に転送するローディングモジュール（７）と、
通信チャネル（５）を通過する、端末（４）およびＴＶ受信デバイス（３）の双方向データフローを制御する通信モジュール（８）とを含むことを特徴とする、請求項１から７のいずれか一項に記載の方法。
【請求項９】
テレビジョンプログラム（２３）および少なくとも１つの関連する双方向プログラム（２２）がＴＶ受信デバイス（３）へブロードキャストされる双方向ＴＶシステムであって、
サーバ局を形成するＴＶ受信機デバイス（３）と、
クライアント局を形成する、移動電話ネットワークに接続される少なくとも１つの端末（４）とを含み、
アプレット形式でプログラミングされた関連する双方向プログラムの部分は、ＴＶ受信デバイス（３）から、ＴＶ受信デバイス（３）に通信チャネル（５）を介して関連付けられる端末（４）にダウンロードされ、端末（４）のオペレーティングシステムによって実行されることを特徴とする、システム。
【請求項１０】
通信チャネル（５）がローカル通信チャネルであることを特徴とする、請求項９に記載のシステム。
【請求項１１】
端末（４）にダウンロードされる双方向プログラムが互いに無関係に実行されることを特徴とする、請求項９または１０のいずれかに記載のシステム。
【請求項１２】
補完的双方向プログラムデータが端末（４）に、この端末（４）によって設定される問い合わせに応じてダウンロードされることを特徴とする、請求項９から１１のいずれか一項に記載のシステム。
【請求項１３】
端末にダウンロードされる双方向プログラム（４）が移動電話サービスとの対話を実行することを特徴とする、請求項９から１２のいずれか一項に記載のシステム。
【請求項１４】
双方向プログラム部分が、アプレット形式でＪａｖａ（登録商標）言語でプログラミングされていることを特徴とする、請求項９から１３のいずれか一項に記載のシステム。
【請求項１５】
機能的ユニット（１）がＴＶ受信デバイス（３）内に配置され、この機能的ユニットが、
双方向ソフトウェアプログラム（２２）を記憶し、双方向プログラム部分を通信チャネル（５）を介して端末（４）に転送するローディングモジュール（７）と、
通信チャネル（５）を通過する、端末（４）およびＴＶ受信デバイス（３）の間の双方向データフローを制御する通信モジュール（８）とを含むことを特徴とする、請求項９から１４のいずれか一項に記載のシステム。
【請求項１６】
ブロードキャストフロー（１０）から、ＴＶプログラム（２３）に関連付けられた双方向ソフトウェアプログラム（２２）を抽出するための復号モジュールと、
双方向プログラム（２２）を記憶し、移動電話ネットワークに接続された端末（４）に、端末（４）によって実行されることが企図された、アプレット形式でプログラミングされた双方向プログラム部分を転送するローディングモジュール（７）と、
端末（４）および機能的ユニット（１）の間の双方向データフローを制御する通信モジュール（８）と
を含む機能的ユニット（１）を備えることを特徴とする、ＴＶ受信デバイス。
【請求項１７】
ローカル通信チャネル（５）を介して端末（４）と通信するためのインターフェースを含むことを特徴とする、請求項１６に記載のデバイス。
【請求項１８】
オペレーティングシステムを有し、ローディングモジュール（７）および通信モジュール（８）がこのオペレーティングシステム上で動作するソフトウェアモジュールであることを特徴とする、請求項１６または１７に記載のデバイス。
【請求項１９】
双方向プログラム部分がアプレット形式でＪａｖａ（登録商標）言語でプログラミングされていることを特徴とする、請求項１６から１８のいずれか一項に記載のデバイス。
【請求項２０】
無線通信チャネル（５）によってＴＶ受信デバイス（３）を検出するモジュール（１３）と、
ＴＶ受信デバイス（３）によって通信チャネル（５）を介してダウンロードされる、ＴＶ受信デバイス上のＴＶプログラムブロードキャストに関連付けられるアプレット形式でプログラミングされる少なくとも１つの双方向ソフトウェアプログラム部分を実行するためのオペレーティングシステムと
を少なくとも含むことを特徴とする、移動電話端末。
【請求項２１】
双方向プログラム部分に関連付けられた情報をその画面上に表示するためのプログラムを実行するディスプレイモジュール（１４）を含むことを特徴とする、請求項２０に記載の端末。
【請求項２２】
ローカル通信チャネル（５）および移動電話ネットワークと通信する、双方向プログラム部分を実行するモジュール（１５）を含むことを特徴とする、請求項２０または２１に記載の端末。
【発明の詳細な説明】
【技術分野】
【０００１】
本発明は、双方向マルチユーザＴＶ方法およびシステムに関する。さらに、本発明は、そのような方法を使用するＴＶ受信機および移動電話端末に関する。本発明は、単一のＴＶ受信機によりこの受信機の近隣に位置する複数のユーザに提供される双方向サービスに特に適用可能である。
【背景技術】
【０００２】
双方向ＴＶサービスは、ますます頻繁に使用されている。補完的リソースがＴＶ受信機上にダウンロードされる。ユーザは、裏で、例えば、補完的なビデオ、音声、テキスト、画像データまたはプログラムに関連する他のデータが後に続くＴＶプログラムを同時に見ることが可能である。後で双方向情報と呼ばれるこの補完的情報が、無線ブロードキャストプログラムのフローと共に送信される。より詳細には、ＴＶプログラムに関連するソフトウェアプログラムがＴＶ受信機の中にダウンロードされる。例えば、双方向ソフトウェアプログラムがサービスプラットフォーム上に生成され、次にそれらが関連するＴＶプログラムと共に同時または非同時的にブロードキャストされる。
【０００３】
双方向ＴＶプログラム供給者は、双方向性交換に関して高まり続ける性能を備えるサービスを提案することを試みる。特に、これは、双方向情報の提供とユーザの反応の可能性とが著しく向上されることを意味する。単一のＴＶセットからの双方向マルチユーザサービスの提供は、グローバルな提供のこの拡張の枠組み内にある。この種類の双方向サービスは、現在のプログラムと対話するために複数のユーザが単一のＴＶセットの周囲に、例えば、家族の集団にグループ化されることを可能にする。この種類のサービスは、ＴＶゲームに関してだけでなく、例えば、ユーザが同じＴＶセットから対話する遠隔の購買に関しても有用に使用され得る。
【発明の開示】
【発明が解決しようとする課題】
【０００４】
現在のところ、特に、複数の近隣のユーザを含むアプリケーションに関して、多少制限された可能性を有する双方向ＴＶサービス解決策が存在する。
【０００５】
第１の解決策では、特定のプログラム中にＴＶ画面に表示される特別の電話番号にユーザが電話をかける。電話される電話番号は、場合によりＳＭＳ型のメッセージで代替されてもよい。この種類の対話は自動的でない。ユーザは、提案されるサービス番号に手動で電話をかける必要がある。それゆえに、サービス提供は制限されてユーザに対してあまり実用的でない。
【０００６】
第２の解決策は、古典的なＴＶプログラムを介した、またはケーブルチャネルを介した対話を使用する。この場合、ＴＶ画面上に表示される文字多重放送またはその場の状況に対応したメニューを使用して対話が行われる。それらは、無線または有線のネットワークにより提供されるサービスの不可欠な部分を形成する。この解決策は、双方向単一セットおよびマルチユーザサービスの状況に対してあまり適切でない。
【０００７】
第３の解決策は、特にＩＰ−ＴＶチャネルと呼ばれるインターネットネットワークを使用する。これらの種類のサービスは、例えば、ＴＶ画面を介してＳＭＳメッセージを送信することによって移動電話オペレータに呼びかけることが可能である。インターネットアクセスが、移動電話オペレータも含む多くの双方向サービス機会を可能にする。しかしながら、この解決策は、特定のＴＶ送信技術、即ち、インターネット上のＴＶを対象とする。それは、インターネットネットワークアクセス供給者への申し込みを必要とする。それゆえに、この解決策は、本質的にインターネットネットワークへのアクセス加入者をターゲットとしており、より広範な顧客にサービスを提供するために充分に開放されていない。
【０００８】
第４の解決策は、無線デジタルＴＶ、より詳細にはＤＶＢ−Ｈ標準を使用し、ここでＤＶＢは用語「デジタルビデオ放送（Ｄｉｇｉｔａｌ  Ｖｉｄｅｏ  Ｂｒｏａｄｃａｓｔｉｎｇ）」の略語である。ＤＶＢ−Ｈ標準は、ＴＶプログラムを受信する間、受信端末が自由に動き回ることを可能にし、これは移動電話型端末に関して理想的な解決策である。それゆえに、この解決策は、携帯電話とのＴＶ送信に対して非常に適切である。しかしながら、ＤＶＢ−Ｈ標準が移動電話ネットワークを全く使用しないことが分かっており、特にＴＶネットワークと移動電話ネットワークとの間の技術的対話手段に関し、設定することの費用が高い。さらに、それは新規のブロードキャスティングインフラストラクチャを必要とする。最後に、かつ特に、この解決策は、単一受信機上の複数のユーザに関連するＴＶプログラムの同時対話を可能にしない。
【課題を解決するための手段】
【０００９】
本発明の１つの特定の目的は、複数のユーザが単一のＴＶセットと対話するＴＶサービスの使用を可能にすることである。これを達成するために、本発明の目的は、関連付けされた双方向プログラムの一部が、クライアント−サーバアーキテクチャに従ってＴＶ受信デバイスから移動電話ネットワークに接続された端末にダウンロードされる、ＴＶプログラムおよび少なくとも１つの関連する双方向プログラムがＴＶ受信デバイスへブロードキャストされる双方向ＴＶ方法である。ＴＶ受信デバイスがサーバ局を形成し、端末がクライアント局を形成し、双方向プログラムの一部が端末のオペレーティングシステムによって実行され、端末が通信チャネルを介してＴＶ受信デバイスとデータを交換する。
【００１０】
通信チャネルがローカル無線通信チャネルであることが有利である。端末にダウンロードされた双方向プログラムが互いに無関係に実行され得る。補完的双方向プログラムデータが、この端末によって設定される問い合わせに応じて端末にダウンロードされ得る。補完的双方向プログラムデータが、さらに、移動電話ネットワークを介して端末にダウンロードされ得る。端末にダウンロードされる双方向プログラムが移動電話サービスとの対話を実行することが有利であり、例えば、これらの対話は、ＳＭＳ型メッセージを自動的に送信すること、電話番号に自動的にかけること、または移動電話オペレータによって提供されるアクセスを介したインターネット接続である。
【００１１】
双方向プログラム部分は、例えば、アプレット形式でＪａｖａ（登録商標）言語でプログラミングされ得る。
【００１２】
１つの特定の実施形態では、機能的ユニットがＴＶ受信デバイス内に配置され、この機能的ユニットが、双方向プログラム（２２）を記憶し、通信チャネルを介して端末に双方向プログラム部分を転送するローディングモジュールと、通信チャネルを通過する、端末およびＴＶ受信デバイスの間の双方向データフローを制御する通信モジュールとを含む。
【００１３】
本発明の別の目的は、上述した方法を使用する双方向ＴＶシステムであり、サーバ局を形成するＴＶ受信デバイス（３）と、クライアント局を形成する、移動電話ネットワークに接続された少なくとも１つの端末（４）とを含み、関連付けられた双方向プログラムが、ＴＶ受信デバイスから端末にダウンロードされ、端末オペレーティングシステムによって実行され、端末が通信チャネルを介してＴＶ受信デバイスに関連付けられている。
【００１４】
本発明の別の目的は、ブロードキャストフローから、ＴＶプログラムに関連付けられた双方向プログラムを抽出するための復号モジュールと、双方向プログラムを記憶し、移動電話ネットワークに接続された端末に、端末によって実行されることが企図された双方向プログラム部分を転送するローディングモジュールと、端末および機能的ユニットの間の双方向データフローを制御する通信モジュールと、を含む機能的ユニットを備えるＴＶ受信デバイスである。
【００１５】
デバイスが、ローカル通信チャネルを介して端末と通信するためのインターフェースを含むことが有利である。ローディングモジュールおよび通信モジュールが、例えば、デバイスのオペレーティングシステム上で動作するソフトウェアモジュールであってよい。例えば、双方向プログラム部分が、アプレット形式でＪａｖａ（登録商標）言語でプログラミングされる。
【００１６】
最後に、本発明の別の目的は、無線通信チャネルによってＴＶ受信デバイスを検出するモジュールと、ＴＶ受信デバイスによって通信チャネルを介してダウンロードされる、ＴＶ受信デバイス上のＴＶプログラムブロードキャストに関連付けられる少なくとも１つの双方向ソフトウェアプログラム部分を実行するためのオペレーティングシステムとを含む移動電話端末である。
【００１７】
例えば、端末は、双方向プログラム部分に関連付けられた情報をその画面上に表示するためのプログラムを実行するディスプレイモジュールと、ローカル通信チャネルおよび移動電話ネットワークと通信する、双方向プログラム部分を実行するモジュールとを含む。
【００１８】
本発明の主要な利点は、異なるプレイヤを完全に識別するアプリケーションのカスタマイズ化を可能にし、それは実装が簡単であり経済的であることである。
【００１９】
本発明の別の特徴および利点は、以下の説明を添付の図面の参照と共に読解した後に明らかになるであろう。
【発明を実施するための最良の形態】
【００２０】
図１は、本発明を実施するために使用される機能的なユニット１、２を示す。第１のユニット１は、ＴＶプログラム受信デバイス３内で動作する。この第１のユニット１は、例えば、ＴＶ受信機３の中、またはこの受信機に接続される例えば復号器のようなボックスの中に配置されるソフトウェアモジュールであってよい。ＴＶ受信機３がＯＳとも呼ばれるオペレーティングシステムを含むことが好ましい。オペレーティングシステムは、第１の機能的ユニット１に含まれるプログラムを実行する。それゆえに、機能的なユニットは、他のあらゆるアプリケーションソフトウェアと同様にＴＶ受信機内に配置され得る。ＴＶ受信機がＯＳを有さない場合、機能的なユニット１は、例えば、ＴＶ受信機に接続される復号ボックス内に配置され得る。この機能的なユニット１は、後でＴＶユニットと呼ばれる。この説明の残りに関し、我々は、テレビジョン受信機ＴＶをＴＶプログラム受信デバイスとして使用する。
【００２１】
第２のユニット２は、後で携帯電話と呼ばれる移動電話端末４上で動作する。説明の残りは、携帯電話に関連してなされるが、任意の種類の移動電話ネットワーク端末が使用され得る。例えば、この第２のユニットは、携帯電話４内に配置されるソフトウェアモジュールであってよい。それは携帯電話４のオペレーティングシステムによって動作する。この機能的なユニット２は、後で移動ユニットと呼ばれる。
【００２２】
２つのユニット１、２は、ローカルな無線通信ネットワーク５を介して互いに通信する。例えば、このネットワークは、「ブルートゥース」、「Ｗｉ−Ｆｉ」、「ＵＷＢ」、「無線ＵＳＢ」、「Ｆａｓｔ  ＩＲＤＡ」、さらには「Ｚｉｇ  ｂｅｅ」ネットワークであってよい。ユニット１、２は、ローカルな通信ネットワークに接続するために必要な通信インターフェースを含む。これらのローカル通信手段は、通常、既存の移動端末上に存在する。
【００２３】
ＴＶユニット１は、復号モジュール６、携帯電話上で使用するための双方向プログラム部分のローディングモジュール７、および携帯電話との通信モジュール８を含む。
【００２４】
第１のモジュール６は、ＴＶプログラムブロードキャスティングソース９によって送信される双方向情報を復号する。より詳細には、ＴＶプログラムのブロードキャストの間、復号モジュール６が、無線ブロードキャストフロー１０の他の信号の中から双方向プログラムを抽出する。双方向プログラムは、アプリケーションおよび双方向データを含む。この双方向プログラムは、ＴＶプログラムに依存する。それゆえに、無線ブロードキャストフローは、ＴＶプログラムと、このＴＶプログラムに関連する双方向プログラムに関するデータとを含む。この従来的な復号機能は、ＴＶ受信機の中、または関連付けられた復号ボックスの中に存在するモジュールによって実行され得る。例えば、双方向情報は、ビデオ、音声、またはテキスト型であってよい。ＴＶプログラムのブロードキャスト１０とＴＶ受信機への双方向情報はアナログまたはデジタルであってよい。それは、電波またはケーブルネットワークを使用し得る。
【００２５】
ローディングモジュール７は、双方向プログラムを記憶し、次にプログラム部分を移動ユニット２に送信する。後で示されるように、クライアント−サーバ型アプリケーションのサーバのように動作する。
【００２６】
双方向プログラムは、起動しているプログラムに応じてロードされる。これらの双方向プログラムは、復号モジュール６によって抽出され、次にローディングモジュール７に記憶される。このモジュールは、次に、示されるＴＶプログラムおよびユーザ要求に応じて双方向プログラムの一部を移動ユニット２に送信する。双方向データの移動ユニット２への送信１１は、ローカル通信ネットワーク５上で行われる。双方向プログラムが例えばＪａｖａ（登録商標）で書かれてアプレットプログラムを含み得ることが有利である。アプレットは「ＡＰＰＬｉｃａｔｉｏｎ  ｗｉｄｇＥＴ」の略語を表す。それはＪａｖａ（登録商標）言語で書かれた１つのアプリケーションである。この種類のプログラムは、使用される度に、実際に本発明による方法を使用する際に各ＴＶプログラムが送信されるときにダウンロードされ得る。アプレットが移植可能、換言すると多くのシステム上で修正されることなしに実行可能であり、システムに依存しないことが有利である。それゆえに、それらのオペレーティングシステムのバージョンに無関係に携帯電話上にダウンロードされ得る。携帯電話にインストールされるほとんどのシステムがＪａｖａ（登録商標）で書かれているため、それは特によく適合されている。さらに、アプレットはほぼ即座にダウンロードされ得る。
【００２７】
通信モジュール８は、移動ユニット２とＴＶユニット１との間の双方向データフローを制御する。それは、移動ユニット２を介して体系化されるユーザ要求を受信して処理する。さらに、それは、このユニット２を介して送信される要求に応じて補完的な双方向情報を移動ユニット２に送信する。モジュール８は、他で知られている「バックチャネル」型通信チャネルを形成する。通信モジュール８と移動ユニット２との間の交換１２は、ローカル通信ネットワーク５を介して行われる。通信モジュール８によって処理される要求は、実行中のプログラムに依存する。特定の補完的情報要求は、このモジュール８によって処理される。例えば、それら情報要求は、個人情報で構成されてよい。即ち、例えば、フットボールの試合の双方向ブロードキャストの間、ユーザは、特定の選手についてのさらなる情報を要求し得る。
【００２８】
ローディングモジュール７および通信モジュール８は、ＴＶ受信機３にインストールされるローカル通信インターフェースを使用することが有利である。このＴＶ受信機にそのようなインターフェースがない場合、それらがインストールされる必要がある。
【００２９】
移動ユニット２は、ＴＶ受信機検出モジュール１３、ディスプレイモジュール１４および双方向モジュール１５を含み得る。
【００３０】
検出モジュール１３の主要な機能は、移動ユニット２の環境で存在するＴＶ受信機または関連するボックスを検出することである。図１の例では、検出モジュールがＴＶ受信機３を検出する。検出方法は、使用されるローカル通信チャネル５の種類に依存する。例えば、ブルートゥースまたはＷｉ−Ｆｉリンクが使用される場合、このリンクは、２つのユニットが両方とも同時に動作中である場合はいつも、通常に作動され得る。全ての場合で、モジュール１３がＴＶ受信機３を検出するとすぐに、ローカル通信ネットワーク５を介してＴＶユニット１との通信を設定する。
【００３１】
ディスプレイモジュール１４は、携帯電話４の画面上に双方向情報を表示するためのプログラムを含む。これを行うために、それは携帯電話４のリソースを使用する。フットボールの試合の双方向ブロードキャストの前の例を考えると、選手についての補完的情報が携帯電話画面上に表示される。この情報は個別化され、この携帯電話のユーザだけがこの情報を受信する。言うまでもなく、表示される情報は双方向メニューの形態であってよく、このメニューはＴＶプログラムに依存する。双方向メニューは、携帯電話４のリソースを使用することも可能である。
【００３２】
双方向モジュール１５は、双方向プログラム自体を実行する。より詳細には、双方向プログラムは、双方向モジュールで携帯電話に適用される。ＴＶユニット１に記憶されるアプリケーションプログラムの一部であるこれらの手段は、このモジュール１５にダウンロードされる。上述したように、これらのプログラム部分は、例えば、アプレットであることが有利である。アプレットは、ＴＶプログラムに応じて、および特に、ユーザの要求を翻訳する移動ユニット２により送信される要求に応じて動的にダウンロードされる。双方向プログラム部分は、画面上に現れる情報の表示を制御するために携帯電話のディスプレイリソースにも作用する。
【００３３】
モジュール１５は、補完的情報を取得するためにＴＶユニット１の通信モジュール８と通信する。それは、現在のＴＶプログラムに関する補完的情報を取得するために移動電話オペレータ１６のサービスも使用し得る。従って、それは、ＴＶプログラムに関するサービスと通信するためにＳＭＳの送信を開始すること、または自動的に電話番号に電話をかけることが可能である。例えば、このメッセージは、ＴＶ受信機の画面１９上に表示される質問に対して携帯電話ユーザによってなされる投票または選択であってよい。モジュール１５は、インターネット上の利用可能なサービスにアクセスすることも可能である。
【００３４】
図２は、本発明による方法を実施するシステムの種々の構成要素の間の相互作用を示す。より詳細には、図２は、上述したようなＴＶユニット１がインストールされたＴＶ受信機と複数の携帯電話４とを示す。これらの携帯電話の各々は、上述したような移動ユニット２を備えている。携帯電話は、移動体オペレータに関連して起動される。それらは、ＴＶ受信機３の近くにローカル通信５がこの受信機によって作動され得る領域３０内に配置される。ＴＶプログラム２３は無線ブロードキャストされ、ＴＶ受信機３によってとらえられる。このＴＶプログラムに関連する特定の双方向ソフトウェアプログラム２２が無線ブロードキャストフローによって同時に送信され、次に復号モジュール６によって抽出される。双方向プログラムは、ＴＶプログラムがブロードキャストされる前または後にブロードキャストされてもよい。
【００３５】
この双方向プログラム２２は、次に、復号モジュール６からの出力でローディングモジュール７に記憶される。この双方向プログラムは、クライアント局として動作する移動ユニット２に向けてサーバ型機能を実行する。サーバ側のＴＶユニット１は、その通信モジュール８を介してクライアント側の移動ユニット２と対話し、このシステムは、そのようにしてクライアント−サーバ型の構成で動作する。以下で、我々は、ＴＶユニット３にダウンロードされる双方向プログラムをアプリケーションサーバとしてみなし、移動ユニット２にダウンロードされる双方向プログラム部分をクライアントアプリケーションとしてみなす。
【００３６】
ローカル通信５の設定２１は、ＴＶユニット１への双方向プログラム、サーバアプリケーションのダウンロードの後にトリガーされてもよい。ローカル通信は、このダウンロードの前に設定されてもよい。
【００３７】
ＴＶプログラム２３がブロードキャストされている間、またはあらゆる他の時間の間、種々のクライアントアプリケーションが移動ユニット２に送信され、それらによって携帯電話４の中でそれら自身のリソースと特にそれらのオペレーティングシステムとで実行される。上述したように、クライアントアプリケーションは、例えば、アプレットの形式でＪａｖａ（登録商標）言語でプログラミングされることが有利である。クライアントアプリケーションは、ローディングモジュール７によってダウンロードされる。ユーザがこの転送を有効にするか否かを決定することが可能であることが好ましい。選択のこの可能性は、移動ユニット２のディスプレイモジュール１４によって処理され得る。
【００３８】
各クライアントアプリケーションは、一度、携帯電話４にダウンロードされると、他の携帯電話にダウンロードされる他のクライアントアプリケーションに無関係に実行される。クライアントアプリケーションの実行の間、移動ユニット２は、ローカル通信チャネルを介して第１にＴＶユニット１と通信し、次にＴＶユニットの通信モジュール８と通信し、例えば、ＳＭＳ型のメッセージまたは電話番号に電話をかけるために、第２に移動電話ネットワーク２４と通信し得る。より詳細には、携帯電話４のオペレーティングシステムは、ユーザが加入する移動電話ネットワークと、ＴＶ受信機３のＴＶユニット１に配置されるアプリケーションサーバと通常に通信する。
【００３９】
図２は、投票２５を提案する現在のプログラムの例示的なブロードキャストを示す。ユーザまたは視聴者は、「はい」または「いいえ」２６を返答することが予想される。回答２７は、例えば、ＳＭＳによって、または特定の電話番号に電話をかけることによって具体化される。ユーザによって選択される回答に応じて自動的にＳＭＳメッセージが送信されるか、または電話番号に電話がかけられる。選択は別の方法で、例えば、携帯電話の画面に表示されるアイテムのセットを使用することによって行われてもよい。全ての場合で、投票に対して提案される回答が選択され、クライアントアプリケーションによって自動的な応答が移動電話ネットワーク上に送信される。投票を扱う図２の例の場合、本発明による多くの処理可能性を提供する。１つの第１の可能性は、投票の主題に応じて画面上に可能な回答が表示される投票を提案することである。投票の主題および可能な回答は、全ての視聴者に対して同じである。投票への回答は、上述したように行われる。投票の結果は、ＴＶ受信機３の画面１９上に表示される。示される結果は、領域３０内に含まれる視聴者だけでなく他の全ての視聴者に関連する。領域３０に存在する視聴者によって与えられる回答が並行してＴＶ受信機３に送信される場合、ローカルな結果がＴＶ画面３上に同時に表示されてもよい。このローカルな結果は、次に、一般的な結果の上に重ねてＴＶ画面上に表示され得る。別の可能性は、投票のカスタマイズである。この場合、投票の主題が、ＴＶ画面上ではなく携帯電話の画面上に表示されてよく、回答が移動電話ネットワークおよび／またはＴＶセット１に送信され、従って、ユーザに応じてカスタマイズが提供される。
【００４０】
本発明による方法は、他の多くの双方向ＴＶプログラムの例の性能を向上させる。例えば、我々は、遠隔の購買プログラムを考慮し得る。商品は、ＴＶプログラムによって示される。各ユーザは、提案される商品についての特定の説明を要求することが可能である。これを達成するために、ユーザの携帯電話ユニットは、通信モジュール８に特定の要求を送信する。商品についての補完的情報は、ユーザの携帯電話の画面上に表示される。次に、ユーザは移動電話ネットワークを介して商品を注文することが可能である。彼の識別および彼の銀行データは、オペレータによって彼の個人的な加入者アカウントから完全に識別されることが有利である。購買手順は、従って、より容易化されてより信頼できるものにされる。
【００４１】
改善された双方向プログラムの別の例は、特に、競馬に対する賭け事に関する。この例では、図２のＴＶセット３は、喫茶店または特定の馬券売り場に設置される。競馬プログラムがブロードキャストされ、喫茶店内にいるユーザは、用紙に記入する代わりに馬に賭けるために彼らの携帯電話を使用することが可能である。例えば、賭けた内容は、賭けを体系化する組織、例えば、フランスのＰＭＵに移動電話ネットワーク上で送信される。賭けた人は、彼らの携帯電話のユーザアカウントによって明確に識別される。
【００４２】
上記の例は、本発明による方法を利用可能な性能を示す。これらの例で双方向の手順は自動的であるが、それらはユーザの制御下におかれ続ける。複数のユーザが単一のＴＶ受信機と同時に対話することが可能である。最後に、本発明による方法の使用は、それが既存の無線ブロードキャスティング機構、移動電話通信ネットワークおよびローカル通信手段を使用するため経済的である。
【図面の簡単な説明】
【００４３】
【図１】第１のユニットがＴＶ受信デバイス上にインストールされており、第２のユニットが携帯電話端末にインストールされている、本発明による方法を使用するための２つの機能的なユニットの説明図である。
【図２】双方向ＴＶプログラムのブロードキャスティングの間、動作中である本発明によるシステムを示す説明図である。
【図１】
2009516450.tif 000003
【図２】
2009516450.tif 000004
【国際調査報告】
2009516450.tif 000005
2009516450.tif 000006
2009516450.tif 000007
2009516450.tif 000008
2009516450.tif 000009
2009516450.tif 000010